(57)【要約】【課題】音声認識機能を有する無線通信端末において、音声認識専用キーの操作を行わなくても、必要なときに自動的に音声認識機能を働かせることができ、またユーザー以外の人の発声や周囲の雑音への応答を最小限に抑えることができる無線通信端末を提供する。【解決手段】外光に変化があった場合に音声認識処理を開始し、その後に入力された音声即ちユーザーの呼びかけの単語が登録済みの単語と一致した場合、バイブレータ１１１の振動、ＬＥＤ部１１２の点灯又はスピーカ１１３から楽音の出力により応答する。これにより、音声認識開始用の専用キーを操作しなくても外光の変化によって音声認識処理を開始するので、無線通信端末１００を例えば鞄内に入れたままでも、外光に変化があれば呼びかけることで応答することから、無線通信端末１００を容易に探し出すことができる。【選択図】図１
2005110180.tif 000002
【特許請求の範囲】
【請求項１】
キー入力された単語及び応答動作を登録する登録手段と、
音声を入力する音声入力手段と、
前記音声入力手段にて音声入力された単語を認識する音声認識手段と、
装置外の光を検知する光検知手段と、
前記光検知手段の出力に変化があった場合に前記音声認識手段に対して音声認識処理を開始させる指示を与える応答開始指示出力手段と、
前記登録手段に登録された単語とこの単語が登録された後であって前記音声認識処理開始後に音声入力されて認識された単語とを照合する照合手段と、
前記照合手段による照合結果から前記登録手段に登録された単語が前記音声認識処理開始後に音声入力されて認識された単語と一致した場合、前記登録手段に登録された応答動作に従って振動、光及び楽音のうち少なくとも１つを発生する応答手段と、
を備えた無線通信端末。
【請求項２】
音声を入力する音声入力手段と、
前記音声入力手段にて音声入力された単語を認識する音声認識手段と、
前記音声認識手段にて認識された単語及び応答動作を登録する登録手段と、
装置外の光を検知する光検知手段と、
前記光検知手段の出力に変化があった場合に前記音声認識手段に対して音声認識処理を開始させる指示を与える応答開始指示出力手段と、
前記登録手段に登録された単語とこの単語が登録された後であって前記音声認識処理開始後に音声入力されて認識された単語とを照合する照合手段と、
前記照合手段による照合結果から前記登録手段に登録された単語と前記音声認識処理開始後に音声入力されて認識された単語と一致した場合、前記登録手段に登録された応答動作に従って振動、光及び楽音のうち少なくとも１つを発生する応答手段と、
を備えた無線通信端末。
【請求項３】
音声を入力する音声入力手段と、
前記音声入力手段にて音声入力された単語を認識する音声認識手段と、
前記音声入力手段にて入力された音声の特徴量を検出する音声特徴量検出手段と、
前記音声認識手段にて認識された単語及び応答動作と前記音声特徴量検出手段にて検出された音声の特徴量とを関連付けて登録する登録手段と、
装置外の光を検知する光検知手段と、
前記光検知手段の出力に変化があった場合に前記音声認識手段に対して音声認識処理を開始させる指示を与える応答開始指示出力手段と、
前記登録手段に登録された単語とこの単語が登録された後であって前記音声認識処理開始後に音声入力されて認識された単語とを照合するとともに、前記音声認識処理開始後に入力された音声の特徴量が前記登録手段に登録された音声の特徴量の判定基準内かを照合する照合手段と、
前記照合手段による照合結果から前記音声認識処理開始後に入力された音声の単語が登録された単語と一致し、且つ当該音声の特徴量が前記判定基準内の場合にのみ、前記登録手段に登録された応答動作に従って振動、光及び楽音のうち少なくとも１つを発生する応答手段と、
を備えた無線通信端末。
【請求項４】
前記応答手段は、バイブレータを駆動することで振動を発生する請求項１乃至請求項３のいずれかに記載の無線通信端末。
【請求項５】
前記応答手段は、発光素子を駆動することで光を発生する請求項１乃至請求項３のいずれかに記載の無線通信端末。
【請求項６】
前記応答手段は、スピーカを駆動することで楽音を発生する請求項１乃至請求項３のいずれかに記載の無線通信端末。
【発明の詳細な説明】
【技術分野】
【０００１】
本発明は、携帯電話、ＰＨＳ（Personal Handy-phone System）、ＰＤＡ（Personal Digital Assistant）などの無線通信端末に関し、特に音声認識機能を有する無線通信端末に関する。
【背景技術】
【０００２】
従来、上述した無線通信端末においては、音声認識機能を有し、この音声認識機能を用いて音声で無線通信端末の機能の一部を実現できるようにしたものが提案されている（例えば、特許文献１参照）。
【０００３】
図３は、上記特許文献１で開示された音声認識機能を有する携帯電話の概略構成を示すブロック図である。
【０００４】
図３に示す携帯電話は、無線信号の送受信を行う無線部３１と、携帯電話における各種操作を行う操作部３２と、文字列等を表示する表示部３３と、音声認識の固定の認識語や応答音声などのデータを格納するデータＲＯＭ（Read Only Memory）３４と、携帯電話の各部の制御を行うメインＣＰＵ（Central Processing Unit）とＤＳＰ（Digital Signal Processor）からなる制御部３５と、音声認識処理を行う音声認識部３６と、Ａ／Ｄ（Analog-to-Digital）コンバータ３７と、Ａ／Ｄコンバータ３７の接続先を切り替えるスイッチ３８と、音声が入力されるマイク３９と、音声を出力するスピーカ４０とから構成されている。操作部３２は、名前や電話番号をメモリ登録するための登録キーや音声認識専用キーなどを備えている。音声認識部３６は通常動作時には動作せず、操作部３２の音声認識専用キー（図示略）が押下されて、その状態が制御部３５で検知された場合にのみ音声認識処理を行う。
【０００５】
次に、上記構成の携帯電話の動作を説明する。ユーザーが操作部３２の図示せぬ音声認識専用キーを押下すると、制御部３５はその状態を検知し、音声認識部３６を起動させて音声認識処理を開始させる。ユーザーが音声認識専用キーを押下した後、マイク３９に向かって発声すると、マイク３９からの音声信号がＡ／Ｄコンバータ３７に入力されてデジタル変換される。そして、デジタル変換された音声信号（音声データ）が音声認識部３６に入力される。なお、このとき、スイッチ３８は音声認識部３６側に切り替わっている。
【０００６】
音声認識部３６は、入力された音声データに対して音声認識処理を行い、認識結果が確定するとその結果を制御部３５に入力する。制御部３５は、音声認識部３６より入力された認識結果に対応するデータを表示部３３に表示するとともに、認識結果に対応する応答音声をスピーカ４０から出力する。このとき、認識語のデータとして、携帯電話の機能名については事前にその固定値がデータＲＯＭ３４に格納されていて、それを使用するようにしている。また、メモリダイヤルの名前については、事前に複数の単音データがデータＲＯＭ３４に格納されていて、夫々をつなぎ合わせて使用するようにしている。
【０００７】
【特許文献１】特開平１１−１１２６３３号公報（第３頁、第４頁、図２、図３）
【発明の開示】
【発明が解決しようとする課題】
【０００８】
しかしながら、従来の音声認識機能を有する携帯電話においては、次のような問題がある。即ち、音声認識機能があるものの、その機能が音声認識専用キーの操作によってのみ可能となるため、この音声認識専用キーの操作をしていなければ携帯電話に向けて呼びかけても応答が得られない。このため、携帯電話を例えば鞄にしまっておいた場合に探すのに時間がかかってしまう。
【０００９】
また、音声認識に使用する認識語は、携帯電話がユーザーに渡る前（例えば工場出荷時）にデータＲＯＭ３４に保存しておく固定データであるため、そのユーザー以外の人の発声や周囲の雑音でも応答してしまうことになる。
【００１０】
本発明は、係る点に鑑みてなされたものであり、音声認識専用キーの操作を行わなくても、必要なときに自動的に音声認識機能を働かせることができ、またユーザー以外の人の発声や周囲の雑音への応答を最小限に抑えることができる無線通信端末を提供することを目的とする。
【課題を解決するための手段】
【００１１】
上記課題を解決するために、本発明の無線通信端末は、キー入力された単語及び応答動作を登録する登録手段と、音声を入力する音声入力手段と、前記音声入力手段にて音声入力された単語を認識する音声認識手段と、装置外の光を検知する光検知手段と、前記光検知手段の出力に変化があった場合に前記音声認識手段に対して音声認識処理を開始させる指示を与える応答開始指示出力手段と、前記登録手段に登録された単語とこの単語が登録された後であって前記音声認識処理開始後に音声入力されて認識された単語とを照合する照合手段と、前記照合手段による照合結果から前記登録手段に登録された単語が前記音声認識処理開始後に音声入力されて認識された単語と一致した場合、前記登録手段に登録された応答動作に従って振動、光及び楽音のうち少なくとも１つを発生する応答手段と、を備えている。
【００１２】
この構成によれば、外光に変化があった場合に音声認識処理を開始し、その後に入力された音声（ユーザーの呼びかけ）の単語が登録済みの単語と一致した場合に、振動、光又は楽音を発生して応答する。したがって、音声認識開始用の専用キーを操作しなくても外光の変化によって音声認識処理を開始するので、無線通信端末を鞄内に入れたままでも光に変化があれば呼びかけることで応答することから、無線通信端末を容易に探し出すことができる。
【００１３】
また、本発明の無線通信端末は、音声を入力する音声入力手段と、前記音声入力手段にて音声入力された単語を認識する音声認識手段と、前記音声認識手段にて認識された単語及び応答動作を登録する登録手段と、装置外の光を検知する光検知手段と、前記光検知手段の出力に変化があった場合に前記音声認識手段に対して音声認識処理を開始させる指示を与える応答開始指示出力手段と、前記登録手段に登録された単語とこの単語が登録された後であって前記音声認識処理開始後に音声入力されて認識された単語とを照合する照合手段と、前記照合手段による照合結果から前記登録手段に登録された単語と前記音声認識処理開始後に音声入力されて認識された単語と一致した場合、前記登録手段に登録された応答動作に従って振動、光及び楽音のうち少なくとも１つを発生する応答手段と、を備えている。
【００１４】
この構成によれば、前述した本発明の無線通信端末と同様の作用及び効果が得られるとともに、登録する単語を音声によって入力できるので、単語の登録を容易に行うことができる。
【００１５】
また、本発明の無線通信端末は、音声を入力する音声入力手段と、前記音声入力手段にて音声入力された単語を認識する音声認識手段と、前記音声入力手段にて入力された音声の特徴量を検出する音声特徴量検出手段と、前記音声認識手段にて認識された単語及び応答動作と前記音声特徴量検出手段にて検出された音声の特徴量とを関連付けて登録する登録手段と、装置外の光を検知する光検知手段と、前記光検知手段の出力に変化があった場合に前記音声認識手段に対して音声認識処理を開始させる指示を与える応答開始指示出力手段と、前記登録手段に登録された単語とこの単語が登録された後であって前記音声認識処理開始後に音声入力されて認識された単語とを照合するとともに、前記音声認識処理開始後に入力された音声の特徴量が前記登録手段に登録された音声の特徴量の判定基準内かを照合する照合手段と、前記照合手段による照合結果から前記音声認識処理開始後に入力された音声の単語が登録された単語と一致し、且つ当該音声の特徴量が前記判定基準内の場合にのみ、前記登録手段に登録された応答動作に従って振動、光及び楽音のうち少なくとも１つを発生する応答手段と、を備えている。
【００１６】
この構成によれば、前述した本発明の無線通信端末と同様の作用及び効果が得られるとともに、音声による単語登録時にユーザーの音声の特徴量を記録し、この特徴量を音声認識の判定基準としていることから、ユーザー以外の人の発声や周囲の雑音への応答を最小限に抑えることができる。即ち、単語のみで照合する場合と比べて誤り率の少ない音声認識機能が得られる。
【００１７】
また、本発明の無線通信端末は、前述した無線通信端末のいずれかにおいて、前記応答手段は、バイブレータを駆動することで振動を発生する。
【００１８】
この構成によれば、ユーザーの呼びかけに対する応答を、元々無線通信端末に設けられているバイブレータを動作させることで行うので、専用のバイブレータを設ける必要がない分、コストアップを最小限に抑えることができるとともに省スペース化が図れる。
【００１９】
また、本発明の無線通信端末は、前述した無線通信端末のいずれかにおいて、前記応答手段は、発光素子を駆動することで光を発生する。
【００２０】
この構成によれば、ユーザーの呼びかけに対する応答を、元々無線通信端末に設けられている着呼報知用の発光素子を点灯させることで行うので、専用の発光素子を設ける必要がない分、コストアップを最小限に抑えることができるとともに省スペース化が図れる。
【００２１】
また、本発明の無線通信端末は、前述した無線通信端末のいずれかにおいて、前記応答手段は、スピーカを駆動することで楽音を発生する。
【００２２】
この構成によれば、ユーザーの呼びかけに対する応答を、元々無線通信端末に設けられているスピーカを動作させることで行うので、専用のスピーカを設ける必要がない分、コストアップを最小限に抑えることができるとともに省スペース化が図れる。
【発明の効果】
【００２３】
本発明によれば、音声認識専用キーの操作を行わなくても、外光に変化があった場合に音声認識処理を開始し、その後に入力された音声（ユーザーの呼びかけ）の単語が登録済みの単語と一致した場合に、振動、光又は楽音を発生して応答するので、無線通信端末を例えば鞄内に入れたままでも容易に探し出すことができる。
【００２４】
また、本発明によれば、音声による単語登録時にユーザーの音声の特徴量を記録し、この特徴量を音声認識の判定基準とするので、ユーザー以外の人の発声や周囲の雑音への応答を最小限に抑えることができる。
【発明を実施するための最良の形態】
【００２５】
以下、本発明を実施するための最良の形態について、図面を参照して詳細に説明する。
【００２６】
（実施の形態１）
図１は、本発明の実施の形態１の無線通信端末の概略構成を示すブロック図である。
【００２７】
図１において、本実施の形態の無線通信端末１００は、光を検知する光検知部１０１と、装置各部を制御する制御部１０２と、音声認識開始時から時間を計測するタイマ１０３と、応答のための単語を記録する記録部１０４と、音声入力するためのマイク１０５と、キー入力手段を含む操作部１０６と、音声から単語を認識する音声認識部１０７と、入力された音声の単語と登録済みの単語とを照合する照合部１０８と、照合部１０８の照合結果から、ユーザーからの呼びかけである場合に応答処理を行う応答処理部１０９とを備えている。応答処理部１０９は、機械的振動を発生することで着信を報知するバイブレータ１１１を駆動するバイブ駆動部１０９ａと、発光することで着信を報知するＬＥＤ（発光ダイオード）部１１２を駆動するＬＥＤ駆動部１０９ｂと、楽音を出力することで着信を報知するスピーカ１１３を駆動するスピーカ駆動部１０９ｃとを備えている。バイブレータ１１１、ＬＥＤ部１１２及びスピーカ１１３は元々無線通信端末に備えられているものである。
【００２８】
なお、上記記録部１０４は登録手段に対応する。また、上記マイク１０５は音声入力手段に対応し、音声認識部１０７は音声認識手段に対応し、光検知部１０１は光検知手段に対応する。また、制御部１０２は応答開始指示出力手段に対応し、照合部１０８は照合手段に対応する。また、応答処理部１０９は応答手段に対応する。
【００２９】
次に、上記構成の無線通信端末１００の音声認識処理について説明する。まず、ユーザーが操作部１０６を使用して、自己の呼びかけに対して無線通信端末１００が応答する単語と応答動作（振動で応答、光で応答又は楽音で応答）をキー入力する。入力した単語と応答動作は記録部１０４に記録される。応答用の単語と応答動作が記録された後、無線通信端末１００を例えば鞄内などの外光が遮られるところに置くものとする。光検知部１０１は、無線通信端末１００に電源が投入された時点から外光の強度を検出し、その結果を制御部１０２に入力するので、鞄の開け閉めにより外光に変化が生じると光検知部１０１の出力値が変化することになり、制御部１０２が光検知部１０１の出力値の変化を検知すると、音声認識部１０７に対して音声認識処理を開始させる指示を与える。このときタイマ１０３にて設定された時間の間、応答処理部１０９が応答しなかった場合には音声認識処理を停止させる。
【００３０】
音声認識部１０７が音声認識処理を開始した後、外部より音声がマイク１０５に入力されると即ちユーザーが呼びかける発声をすると、音声認識部１０７がその発声に対して音声認識を行い単語を検出する。そして、検出した単語を照合部１０８に入力する。照合部１０８は、音声認識部１０７から単語が入力されると、記録部１０４に登録されている単語を読み出してこれと照合し、一致しない場合は制御部１０２に不一致の結果を入力し、一致した場合は応答処理部１０９にオン信号を入力する。応答処理部１０９は、照合部１０８からオン信号が入力されると、記録部１０４に登録されている応答動作に基づいてバイブ駆動部１０９ａ、ＬＥＤ駆動部１０９ｂ及びスピーカ駆動部１０９ｃのうち少なくとも１つを動作させて、バイブレータ１１１の振動、ＬＥＤ部１１２の点灯又はスピーカ１１３からの楽音の再生を行ってユーザーに無線通信端末１００の所在を知らせる。
【００３１】
このように、本実施の形態の無線通信端末１００によれば、外光に変化があった場合に音声認識処理を開始し、その後に入力された音声（ユーザーの呼びかけ）の単語が登録済みの単語と一致した場合、振動、光又は楽音を発生して応答する。したがって、音声認識開始用の専用キーを操作しなくても外光の変化によって音声認識処理を開始するので、無線通信端末１００を鞄内に入れたままでも呼びかけることで応答することから容易に探し出すことができる。
【００３２】
なお、上記実施の形態では、登録する単語及び応答動作を操作部１０６にてキー入力するようにしたが、マイク１０５より音声入力して登録するようにしても良い。このとき、入力した音声は音声認識部１０７にて認識されて、その結果が記録部１０４に登録されることになる。
【００３３】
(実施の形態２)
図２は、本発明の実施の形態２の無線通信端末の概略構成を示すブロック図である。なお、図２において前述した実施の形態１の無線通信端末と機能の共通する部分には同じ符号を付けて説明を省略する。
【００３４】
図２に示すように、本実施の形態の無線通信端末２００は、マイク１０５にて入力された音声の特徴量を検出する測定部２０１と、音声認識部１０７にて認識された単語及び応答動作と測定部２０１にて検出された入力音声の特徴量とを登録する記録部２０２と、記録部２０２に登録された単語とこの単語が登録された後であって制御部１０２から音声認識部１０７に音声認識処理開始指示が出力された後にマイク１０５より音声入力されて認識された単語とを照合するとともに、音声認識処理開始指示が出力された後にマイク１０５より入力された音声の特徴量が記録部２０２に登録された音声の特徴量の判定基準内かを照合する照合部２０３とを備えている。
【００３５】
なお、上記測定部２０１は音声特徴量検出手段に対応し、また記録部２０２は登録手段に対応する。
【００３６】
応答処理部１０９は、照合部２０３の照合結果から、音声認識処理開始指示の出力後にマイク１０５より入力された音声の単語が登録された単語と一致し、且つ当該音声の特徴量が判定基準内の場合にのみ記録部２０２に登録された応答動作に従ってバイブ駆動部１０９ａ、ＬＥＤ駆動部１０９ｂ及びスピーカ駆動部１０９ｃのうち少なくとも１つを動作させて、バイブレータ１１１の振動、ＬＥＤ部１１２の点灯又はスピーカ１１３からの楽音の再生を行ってユーザーに無線通信端末２００の所在を知らせる。
【００３７】
次に、上記構成の無線通信端末２００の音声認識処理について説明する。まず、ユーザーがマイク１０５から無線通信端末２００が応答する単語を音声入力し、さらに応答動作を操作部１０６によるキー入力又はマイク１０５による音声入力する。音声入力された単語と音声入力又はキー入力された応答動作が記録部２０２に記録される。このときマイク１０５より入力された音声は測定部２０１によってその特徴量が測定されて、その特徴量が基準値として上記単語及び応答動作と関連付けて記録部２０２に記録される。応答用の単語と応答動作を記録させた後、無線通信端末２００を例えば鞄内などの外光が遮られるところに置くものとする。
【００３８】
光検知部１０１は、無線通信端末２００に電源が投入された時点から外光の強度を検出し、その結果を制御部１０２に入力するので、鞄の開け閉めにより外光に変化が生じると光検知部１０１の出力値が変化することになる。制御部１０２は、光検知部１０１の出力値の変化を検知すると、音声認識部１０７に対して音声認識処理を開始させる指示を与える。このときタイマ１０３にて設定された時間の間、応答処理部１０９が応答しなかった場合には音声認識処理を停止させる。
【００３９】
音声認識部１０７が音声認識処理を開始した後、外部より音声がマイク１０５に入力されると即ちユーザーが呼びかける発声をすると、音声認識部１０７がマイク１０５からの音声入力に対して音声認識を行い入力された音声の単語を検出する。また同時に測定部２０１が入力された音声の特徴量を測定する。そして、検出された単語と測定された音声の特徴量が照合部２０３に入力される。照合部２０３は、入力された音声の単語及び特徴量が、記録部２０２に記録されている単語と一致し、且つ記録されている特徴量の判定基準内かを照合し、一致しない又は判定基準値外の場合は制御部１０２に不一致の結果を入力し、一致し、且つ判定基準値内の場合は応答処理部１０９にオン信号を入力する。応答処理部１０９は、照合部２０３からオン信号が入力されると、記録部２０２に登録されている応答動作に基づいてバイブ駆動部１０９ａ、ＬＥＤ駆動部１０９ｂ及びスピーカ駆動部１０９ｃのうち少なくとも１つを動作させて、バイブレータ１１１の振動、ＬＥＤ部１１２の点灯又はスピーカ１１３からの楽音の再生を行ってユーザーに無線通信端末２００の所在を知らせる。
【００４０】
このように、本実施の形態の無線通信端末２００によれば、前述した実施の形態１の無線通信端末１００と同じ作用及び効果が得られるとともに、音声による単語登録時にユーザーの音声の特徴量を測定して記録し、この特徴量を音声認識の判定基準とするので、ユーザー以外の人の発声や周囲の雑音への応答を最小限に抑えることができる。即ち、単語のみで照合する場合と比べて誤り率の少ない音声認識機能が得られる。
【産業上の利用可能性】
【００４１】
本発明は、音声認識専用キーの操作を行わなくても、外光に変化があった場合に音声認識処理を開始することができるといった効果を有し、携帯電話、ＰＨＳ、ＰＤＡなどの無線通信端末に適用が可能である。
【図面の簡単な説明】
【００４２】
【図１】本発明の実施の形態１の無線通信端末の概略構成を示すブロック図
【図２】本発明の実施の形態２の無線通信端末の概略構成を示すブロック図
【図３】従来の携帯電話の概略構成を示すブロック図
【符号の説明】
【００４３】
１０１  光検知部
１０２  制御部
１０３  タイマ
１０４、２０２  記録部
１０５  マイク
１０６  操作部
１０７  音声認識部
１０８、２０３  照合部
１０９  応答処理部
１０９ａ  バイブ駆動部
１０９ｂ  ＬＥＤ駆動部
１０９ｃ  スピーカ駆動部
１１１  バイブレータ
１１２  ＬＥＤ部
１１３  スピーカ
２０１  測定部
【図１】
2005110180.tif 000003
【図２】
2005110180.tif 000004
【図３】
2005110180.tif 000005